(57)【要約】      （修正有）【課題】カーペット用糊を非熟練者であっても均一に塗布できるようにし、腰をかがめずに塗布作業ができるようにして重労働から解放する。【解決手段】カーペット用糊塗布装置１は、端部に塗布用のローラ２が支持枠に回転可能に取り付けてある。このローラ２が糊収容函３の曲面に形成した角部３１が自重で自動的にローラ２に押圧されるように基体１０にヒンジを介して取り付けてある。カーペット用糊はローラ２の回転に伴って糊収容函３から床面に供給され、均一な厚さにとふされる。作業者は、熟練を要せず、腰をかがめたりすることなく楽な姿勢でカーペット用糊の塗布作業をおこなうことことができる。【選択図】図１
0003133767.tif 000002
【実用新案登録請求の範囲】
【請求項１】
塗布用ローラと塗布用ローラに角部が押圧接触している糊収容函からなり、糊収容函の角部には穴が形成してあってローラに押しつけられて閉塞されており、ローラの回転に伴って一定量のピールアップ糊が糊収容函からローラに供給されるピールアップ糊塗布装置。
【請求項２】
請求項１において、糊収容函が基板に回転自在に取り付けてあるピールアップ糊塗布装置。
【請求項３】
請求項１または２において、糊収容函とローラの間の間隔を調整する調整手段を有するピールアップ糊塗布装置。
【考案の詳細な説明】
【技術分野】
【０００１】
本考案は、タイルカーペットの床面への貼り付け施工に使用される接着剤であるピールアップ糊（接着剤）を床面に塗布するための装置に関する。
【背景技術】
【０００２】
タイルカーペットの接着には、比較的剥がすことが容易なアクリル系またはゴム系等のピールアップ糊が使用されており、床面にピールアップ糊を適当な厚さに刷毛やローラで塗布していた。
【特許文献１】実開平６−３４９０４号公報
【考案の開示】
【考案が解決しようとする課題】
【０００３】
ピールアップ糊は、塗布後も粘着性を失うことがないので塗布済みの床面を歩くことができず、また、作業者がブラシやローラで塗るためピールアップ糊を過剰に使用することが多く不経済であった。また、粘性が高いため、均一に塗布するためには熟練を要すると共に、腰をかがめて塗布しなければならず、重労働であった。
【０００４】
本考案は、ピールアップ糊を非熟練者であっても均一に塗布できるようにし、また、腰をかがめずに立った状態で床面への塗布作業ができるようにして作業者を重労働から解放するピールアップ糊塗布機を提供するものである。
【課題を解決するための手段】
【０００５】
塗布用ローラとローラに角部が押圧接触している糊収容函からなり、糊収容函の角部に設けた穴がローラに押しつけられて穴を閉塞するようにしてあり、ピールアップ糊がローラの回転に伴って一定量がローラに供給され、更に、床面に塗布されるようにした。
作業者は立った状態でピールアップ糊塗布装置を前方に押し、床面に沿ってローラを回転させて移動させるものであるので、技術を要さずに一定厚のピールアップ糊の膜を床面に形成することができる。
【考案の効果】
【０００６】
糊収容函から穴を通じて均一な量のピールアップ糊がローラに供給されるので、床面への塗布厚が一定となる。作業者は糊塗布装置を押すだけでよく、技術を要さずに一定厚のピールアップ糊の膜を床面に形成することができ、従来のように腰をかがめて塗布することがないので、重労働から解放される。
ピールアップ糊は、糊収容函から重力によって排出口から流下するものであり、構造が単純であるので故障が少なく、取り扱いが容易である。
【考案を実施するための最良の形態】
【０００７】
実施例１
図面に基づいて本考案を説明する。
図１〜図３に示すように、ピールアップ糊塗布装置１は、下端部に塗布用のローラ２が支持枠２１に回転可能に取り付けてある。このローラ２が糊収容函３の曲面に形成した角部３１がローラ２に自重で自動的に押圧されるように基体１０にヒンジ１１を介して回転可能に取り付けてある。
【０００８】
糊収容函３の角部３１にはＲが形成してあり、直径５〜１０ｍｍの穴３２が曲面に形成した稜線に沿って一定間隔で複数個設けてある。穴３２の大きさはピールアップ糊の粘度によって変更し、均一に流れ出すようにする。粘度が大きい場合は穴３２の大きさを大きくしても糊が過剰にローラに供給されることがない大きな直径とする。粘度が小さい場合は、穴３２からの糊の流出量が多くなるので、小さめとする。
【０００９】
ローラ２は、ペイント塗装に使用されるローラ刷毛と同様のものが使用でき、直径４ｃｍの合成樹脂製の芯に毛足が１ｃｍ程度のフェルトが固定してあるものである。
支持枠２１は、Ｌ字型金属製部材であり、板状の基体１０にネジで固定してあり、ローラ２の取り付け・交換時には、ネジを緩めて支持枠２１の間隔を拡げてローラ２をセットする。
【００１０】
糊収容函３は金属または合成樹脂製で、塗布装置１の基体１０に函の上端部がヒンジ１１で回転可能に取り付けてあり、糊収容函３の重量及び収容した糊の重量によって角部３１がローラ２に常に押しつけられるようにしてある。
角部３１がローラに押しつけられることにより、角部の排出口の穴３２はローラ２で閉塞された状態となり、ピールアップ糊の粘度と相俟ってローラ２が回転せずに停止している状態にあるときは糊収容函３内のピールアップ糊は穴３２から流出しない。
【００１１】
基体１０と糊収容函３の背面の間には基体１０からの突出量をネジで調整することができるストッパー５が設けてある。このストッパー５を基体１０から突出させて糊収容函３の角部３１がローラ２にぴったり密着せずにローラ２との間に僅かな間隙が形成されるようにし、ピールアップ糊が穴３２に詰まらずに流出するようにする。特にピールアップ糊が高粘度の場合にストッパーを使用して間隙を形成するとピールアップ糊の均一な排出に有効である。
【００１２】
基体１０にはバー６が着脱可能に取り付けることが可能であり、バー固定部６０が基板１０に設けてある。作業者は、作業者の体格にあった長さのバー６を持ってピールアップ糊塗布装置１を前方に押して塗布作業をおこなう。バー６の長さは作業者の背の高さに合わせて選択することができるので、作業者は腰をかがめたりすることなく、無理な姿勢を取ることなく楽な状態でピールアップ糊の塗布作業をおこなうことことができる。
【００１３】
ピールアップ糊の床面への塗布作業時には、糊塗布装置１の糊収容函３にピールアップ糊を投入し、床面にローラ２を接触させて前方に押すと、ローラ２が回転して糊収容函３内のピールアップ糊をローラ表面に供給し、更にローラ２を回転させるとローラの表面のピールアップ糊は床面に均一に塗布される。
塗布作業を中断した場合、塗布方向の転換、作業の休息時にはローラが回転しないようにストッパー（図示しない）で止め、壁面に立てかけておくことができる。
基体１０に適宜の形状のスタンド（図示しない）を設けることによって、作業休止の場合でも、糊を糊収容函に入れたままでピールアップ糊塗布装置を立てておくことができる。
【００１４】
作業を再開する場合には、塗布箇所までローラ２を浮かして回転しないようにして糊塗布装置１を運び、ローラ２を床面に接触させて糊塗布装置１を前方に押してローラ２を回転させて糊収容函３内のピールアップ糊を床面に塗布する。
【００１５】
実施例２
図４〜図６に示すように、基体１０の両側にＬ字型の取付金具となる支持枠２１が設けてあり、少なくとも一方の取付金具は基体１０に対して回転軸１２を中心にして回転可能に取り付けてある。支持枠２１が必要時以外、例えば糊の塗布作業中に回転しないように適宜のロック手段を設ける。
糊収容函３の基本形状は実施例１と同じであるが、両側面に回転軸３５が設けてあり、取付金具２１に設けた穴２２に回転軸を差込んで基体１０に対して回転可能に取り付けられる。
【００１６】
取付金具２１の下側には塗布用のローラ２の端部を差込んで固定する円盤状の受け具２３が回転可能に設けてあり、取り付けられたローラ２は回転可能となる。
基体１０と糊収容函３の背面の間には基体１０からの突出量をネジで調整することができるストッパー５が2個設けてある。
【００１７】
ローラ２及び糊収容函３の脱着時には、図５（２）に示すように、取付金具２１のロック手段を解除し、回転軸１２を中心にして基体１０の側方に回転させ、ローラ２及び糊収容函３を取り外す。
【図面の簡単な説明】
【００１８】
【図１】塗布装置の斜視図。
【図２】塗布装置の正面図。
【図３】塗布装置の側面図。
【図４】他の実施例の塗布装置の斜視図。
【図５】他の実施例の塗布装置の正面図。
【図６】他の実施例の塗布装置の側面図。
【符号の説明】
【００１９】
１    ピールアップ糊塗布装置
１０  基体
１１  ヒンジ
２    ローラ
２１  支持枠
３    糊収容函
【図１】
0003133767.tif 000003
【図２】
0003133767.tif 000004
【図３】
0003133767.tif 000005
【図４】
0003133767.tif 000006
【図５】
0003133767.tif 000007
【図６】
0003133767.tif 000008
【手続補正書】
【提出日】平成19年4月25日(2007.4.25)
【手続補正１】
【補正対象書類名】実用新案登録請求の範囲
【補正対象項目名】全文
【補正方法】変更
【補正の内容】
【実用新案登録請求の範囲】
【請求項１】
塗布用ローラと塗布用ローラに角部が押圧接触している糊収容函からなり、糊収容函の角部には穴が形成してあってローラに押しつけられて閉塞されており、ローラの回転に伴って一定量のカーペット用糊が糊収容函からローラに供給されるカーペット用糊塗布装置。
【請求項２】
請求項１において、糊収容函が基板に回転自在に取り付けてあるカーペット用糊塗布装置。
【請求項３】
請求項１または２において、糊収容函とローラの間の間隔を調整する調整手段を有するカーペット用糊塗布装置。
【手続補正２】
【補正対象書類名】明細書
【補正対象項目名】全文
【補正方法】変更
【補正の内容】
【考案の詳細な説明】
【技術分野】
【０００１】
本考案は、タイルカーペットの床面への貼り付け施工に使用される接着剤であるカーペット用糊（接着剤）を床面に塗布するための装置に関する。
【背景技術】
【０００２】
タイルカーペットの接着には、比較的剥がすことが容易なアクリル系またはゴム系等のカーペット用糊が使用されており、床面にカーペット用糊を適当な厚さに刷毛やローラで塗布していた。
【特許文献１】実開平６−３４９０４号公報
【考案の開示】
【考案が解決しようとする課題】
【０００３】
カーペット用糊は、塗布後も粘着性を失うことがないので塗布済みの床面を歩くことができず、また、作業者がブラシやローラで塗るためカーペット用糊を過剰に使用することが多く不経済であった。また、粘性が高いため、均一に塗布するためには熟練を要すると共に、腰をかがめて塗布しなければならず、重労働であった。
【０００４】
本考案は、カーペット用糊を非熟練者であっても均一に塗布できるようにし、また、腰をかがめずに立った状態で床面への塗布作業ができるようにして作業者を重労働から解放するカーペット用糊塗布機を提供するものである。
【課題を解決するための手段】
【０００５】
塗布用ローラとローラに角部が押圧接触している糊収容函からなり、糊収容函の角部に設けた穴がローラに押しつけられて穴を閉塞するようにしてあり、カーペット用糊がローラの回転に伴って一定量がローラに供給され、更に、床面に塗布されるようにした。
作業者は立った状態でカーペット用糊塗布装置を前方に押し、床面に沿ってローラを回転させて移動させるものであるので、技術を要さずに一定厚のカーペット用糊の膜を床面に形成することができる。
【考案の効果】
【０００６】
糊収容函から穴を通じて均一な量のカーペット用糊がローラに供給されるので、床面への塗布厚が一定となる。作業者は糊塗布装置を押すだけでよく、技術を要さずに一定厚のカーペット用糊の膜を床面に形成することができ、従来のように腰をかがめて塗布することがないので、重労働から解放される。
カーペット用糊は、糊収容函から重力によって排出口から流下するものであり、構造が単純であるので故障が少なく、取り扱いが容易である。
【考案を実施するための最良の形態】
【０００７】
実施例１
図面に基づいて本考案を説明する。
図１〜図３に示すように、カーペット用糊塗布装置１は、下端部に塗布用のローラ２が支持枠２１に回転可能に取り付けてある。このローラ２が糊収容函３の曲面に形成した角部３１がローラ２に自重で自動的に押圧されるように基体１０にヒンジ１１を介して回転可能に取り付けてある。
【０００８】
糊収容函３の角部３１にはＲが形成してあり、直径５〜１０ｍｍの穴３２が曲面に形成した稜線に沿って一定間隔で複数個設けてある。穴３２の大きさはカーペット用糊の粘度によって変更し、均一に流れ出すようにする。粘度が大きい場合は穴３２の大きさを大きくしても糊が過剰にローラに供給されることがない大きな直径とする。粘度が小さい場合は、穴３２からの糊の流出量が多くなるので、小さめとする。
【０００９】
ローラ２は、ペイント塗装に使用されるローラ刷毛と同様のものが使用でき、直径４ｃｍの合成樹脂製の芯に毛足が１ｃｍ程度のフェルトが固定してあるものである。
支持枠２１は、Ｌ字型金属製部材であり、板状の基体１０にネジで固定してあり、ローラ２の取り付け・交換時には、ネジを緩めて支持枠２１の間隔を拡げてローラ２をセットする。
【００１０】
糊収容函３は金属または合成樹脂製で、塗布装置１の基体１０に函の上端部がヒンジ１１で回転可能に取り付けてあり、糊収容函３の重量及び収容した糊の重量によって角部３１がローラ２に常に押しつけられるようにしてある。
角部３１がローラに押しつけられることにより、角部の排出口の穴３２はローラ２で閉塞された状態となり、カーペット用糊の粘度と相俟ってローラ２が回転せずに停止している状態にあるときは糊収容函３内のカーペット用糊は穴３２から流出しない。
【００１１】
基体１０と糊収容函３の背面の間には基体１０からの突出量をネジで調整することができるストッパー５が設けてある。このストッパー５を基体１０から突出させて糊収容函３の角部３１がローラ２にぴったり密着せずにローラ２との間に僅かな間隙が形成されるようにし、カーペット用糊が穴３２に詰まらずに流出するようにする。特にカーペット用糊が高粘度の場合にストッパーを使用して間隙を形成するとカーペット用糊の均一な排出に有効である。
【００１２】
基体１０にはバー６が着脱可能に取り付けることが可能であり、バー固定部６０が基板１０に設けてある。作業者は、作業者の体格にあった長さのバー６を持ってカーペット用糊塗布装置１を前方に押して塗布作業をおこなう。バー６の長さは作業者の背の高さに合わせて選択することができるので、作業者は腰をかがめたりすることなく、無理な姿勢を取ることなく楽な状態でカーペット用糊の塗布作業をおこなうことことができる。
【００１３】
カーペット用糊の床面への塗布作業時には、糊塗布装置１の糊収容函３にカーペット用糊を投入し、床面にローラ２を接触させて前方に押すと、ローラ２が回転して糊収容函３内のカーペット用糊をローラ表面に供給し、更にローラ２を回転させるとローラの表面のカーペット用糊は床面に均一に塗布される。
塗布作業を中断した場合、塗布方向の転換、作業の休息時にはローラが回転しないようにストッパー（図示しない）で止め、壁面に立てかけておくことができる。
基体１０に適宜の形状のスタンド（図示しない）を設けることによって、作業休止の場合でも、糊を糊収容函に入れたままでカーペット用糊塗布装置を立てておくことができる。
【００１４】
作業を再開する場合には、塗布箇所までローラ２を浮かして回転しないようにして糊塗布装置１を運び、ローラ２を床面に接触させて糊塗布装置１を前方に押してローラ２を回転させて糊収容函３内のカーペット用糊を床面に塗布する。
【００１５】
実施例２
図４〜図６に示すように、基体１０の両側にＬ字型の取付金具となる支持枠２１が設けてあり、少なくとも一方の取付金具は基体１０に対して回転軸１２を中心にして回転可能に取り付けてある。支持枠２１が必要時以外、例えば糊の塗布作業中に回転しないように適宜のロック手段を設ける。
糊収容函３の基本形状は実施例１と同じであるが、両側面に回転軸３５が設けてあり、取付金具２１に設けた穴２２に回転軸を差込んで基体１０に対して回転可能に取り付けられる。
【００１６】
取付金具２１の下側には塗布用のローラ２の端部を差込んで固定する円盤状の受け具２３が回転可能に設けてあり、取り付けられたローラ２は回転可能となる。
基体１０と糊収容函３の背面の間には基体１０からの突出量をネジで調整することができるストッパー５が2個設けてある。
【００１７】
ローラ２及び糊収容函３の脱着時には、図５（２）に示すように、取付金具２１のロック手段を解除し、回転軸１２を中心にして基体１０の側方に回転させ、ローラ２及び糊収容函３を取り外す。
【図面の簡単な説明】
【００１８】
【図１】塗布装置の斜視図。
【図２】塗布装置の正面図。
【図３】塗布装置の側面図。
【図４】他の実施例の塗布装置の斜視図。
【図５】他の実施例の塗布装置の正面図。
【図６】他の実施例の塗布装置の側面図。
【符号の説明】
【００１９】
１    カーペット用糊塗布装置
１０  基体
１１  ヒンジ
２    ローラ
２１  支持枠
３    糊収容函